(57)【特許請求の範囲】
【請求項１】
粘着性部材を目蓋に貼り付けることを補助するために使用する二重目蓋形成補助器具であって、
前記二重目蓋形成補助器具は、掴み部と、粘着性部材を掛け渡す状態で仮留め可能な仮留め可能部と、粘着性部材を切断可能な切断手段と、を有しており、前記仮留め可能部と切断手段とを相対移動させることで、仮留め可能部に仮留めした粘着性部材を目蓋に貼り付ける長さに切断することを可能とすることを特徴とする二重目蓋形成補助器具。
【請求項２】
請求項１に記載の二重目蓋形成補助器具であって、
前記仮留め可能部は回動可能であり、当該回動により、仮留め可能部に仮留めした粘着性部材が切断手段と接触することを可能にすることを特徴とする二重目蓋形成補助器具。
【請求項３】
請求項１又は２の何れかに記載の二重目蓋形成補助器具であって、
前記仮留め可能部は弾性変形可能な仮留め体に設けられており、仮留め体を押圧することで仮留め可能部を変位させることが可能であり、前記押圧を解除することで、仮留め体自身の弾性力で押圧前の形状に復元することが可能であることを特徴とする二重目蓋形成補助器具。
【発明の詳細な説明】
【技術分野】
【０００１】
本発明は、二重目蓋形成補助器具に関する。特に二重目蓋の形成に使用する粘着性部材を切断可能な切断手段を備える二重目蓋形成補助器具に関する。
【背景技術】
【０００２】
従来から二重目蓋を形成するために、様々な手法が用いられている。その中でも、目蓋に載せた粘着剤を用いて目蓋の皮膚同士を張り合わせることでラインを形成し、二重目蓋とする手法が広く知られており、その具体的な手段についても各種検討されている。例えば、合成樹脂エマルジョンを目蓋に塗布しスティックで押圧することで二重目蓋を形成することが知られている（特許文献１参照）。また、二重目蓋を形成するために、粘着剤を塗布した粘着性部材を目蓋に貼り付けることも知られている（特許文献２）。更には、粘着材を塗布した粘着性部材を目蓋に貼り付けるために、一旦、当該粘着性部材を器具に貼り付け、当該器具を目蓋に押し付けることで、粘着性部材を精度良く目蓋に貼り付けることができることも知られている（特許文献３、４参照）。
【先行技術文献】
【特許文献】
【０００３】
【特許文献１】実公昭４５−１４００９号公報
【特許文献２】特開２００２−１７７３１６号公報
【特許文献３】特開２０１１−１８８８９２号公報
【特許文献４】実用新案登録第１１９１６２号公報
【発明の概要】
【発明が解決しようとする課題】
【０００４】
しかしながら、特許文献３、４に記載された器具は粘着性部材を目蓋に貼り付けるためだけのものである。したがって、特定の長さの粘着性部材をそのまま使用するか、粘着性部材を器具に貼り付ける前にハサミなどで適切な長さに切断して使用するか、粘着性部材を目蓋に貼り付けた後にハサミなどで余分な粘着性部材を切断するか、のいずれかを選択する必要があった。
また、特許文献２に記載されるような延伸性を有する粘着性部材は、粘着性部材の端部側に位置する掴み部を持ちながら粘着性部材を伸ばすため、目蓋に粘着性部材を貼った直後には粘着性部材と掴み部が一体となっている状態で使用するものである。よって粘着性部材を目蓋に貼り付ける前に予め適切な長さにして使用するようなものではない。つまり、粘着性部材を目蓋に貼り付けた後にハサミなどで余分な粘着性部材を切断することを求められるものであった。しかし、目蓋に粘着性部材を貼り付けた後に余分な粘着性部材を切断する作業においては、目蓋にハサミを近づけることになり、危険を伴うものであった。また、粘着性部材を貼り付けた後に別途はさみを用いて余分な粘着性部材を切断することはわずらわしくもあった。
延伸性の無い粘着性部材を目蓋に貼り付ける場合、粘着性部材が使用者にとって適切な長さであるとは限らないが、粘着性部材を目蓋に貼り付ける前に粘着性部材の長さを測って切断するという作業は面倒なものでもあった。
【０００５】
本発明は、上記問題を解決するために創案されたものであって、本発明が解決しようとする課題は、目蓋に粘着性部材を適切に貼り付けること及び、別途ハサミなどを持ち直さずに粘着性部材を目蓋に貼り付ける長さに切断することを可能にすることにある。
【課題を解決するための手段】
【０００６】
本発明は、上記課題を解決するために、以下の手段をとる。
本発明の第１の発明は、粘着性部材を目蓋に貼り付けることを補助するために使用する二重目蓋形成補助器具であって、前記二重目蓋形成補助器具は、掴み部と、粘着性部材を掛け渡す状態で仮留め可能な仮留め可能部と、粘着性部材を切断可能な切断手段と、を有しており、前記仮留め可能部と切断手段とを相対移動させることで、仮留め可能部に仮留めした粘着性部材を目蓋に貼り付ける長さに切断することを可能とすることを特徴とする。
【０００７】
上記第１の発明によれば、粘着性部材を目蓋に貼り付ける作業と、余分な粘着性部材を切断する作業と、を一つの器具を用いて行うことができ、使用者は複数の道具を準備する必要が無い。また、二重目蓋形成補助器具に備えられた切断手段により、二重目蓋形成補助器具に仮留めされた粘着性部材を目蓋に貼り付ける長さに切断することが可能であるので、貼着状態に近い適切な張力を与えた状態で粘着性部材を切断することが可能となりえる。また、粘着性部材を二重目蓋形成補助器具で支持した状態で目蓋に貼り付けることが可能であるため、粘着性部材を適切な張力を与えた状態で目蓋に貼り付けることが可能であり、粘着性部材が蛇行した状態で目蓋に貼り付けられるような失敗を回避することが可能である。
なお、本発明における粘着性部材という用語には切断されるという概念がなじまない状態のものは含まれない。つまり、それ自身で形を一定時間維持できない液体は含まれない。通常、糸状やひも状、短冊状といわれる形態であることが多いが、特に粘着性部材のもとの形態を限定しなくてはならないものではない。例えば、もとの形態は球状であるが、延伸することにより糸状になるような粘着性の部材も本発明でいうところの粘着性部材である。
【０００８】
本発明の第２の発明は、上記第１の発明において、前記仮留め可能部は回動可能であり、当該回動により、仮留め可能部に仮留めした粘着性部材が切断手段と接触することを可能にすることを特徴とする。
【０００９】
上記第２の発明によれば、仮留め可能部が回動することにより、仮留め可能部に仮留めした粘着性部材が切断手段と接触することを可能にする構成であるため、粘着性部材の不要部分（目蓋に貼り付けない部分）を使用者の顔から離しつつ、切断することが可能であり得る。また、仮留め可能部を動かすために必要な指が動く距離に対して、粘着性部材が動く距離が大きくなり得るため、効率的に切断作業を行うことが可能となり得る。
【００１０】
本発明の第３の発明は、上記第１又は２の発明において、前記仮留め可能部は弾性変形可能な仮留め体に設けられており、仮留め体を押圧することで仮留め可能部を変位させることが可能であり、前記押圧を解除することで、仮留め体自身の弾性力で押圧前の形状に復元することが可能であることを特徴とする。
【００１１】
上記第３の発明によれば、前記仮留め可能部は弾性変形可能な仮留め体に設けられており、仮留め体を押圧することで仮留め可能部を変位させることが可能であり、前記押圧を解除することで、仮留め体自身の弾性力で押圧前の形状に復元することが可能であるので、押圧により変形させた状態が、押圧を開放することのみで元の形に戻るため、使用者に負担感を与えにくい。
【発明の効果】
【００１２】
本発明を利用すれば、目蓋に粘着性部材を適切に貼り付けること及び、別途ハサミなどを持ち直さずに粘着性部材を目蓋に貼り付ける長さに切断することが可能となる。
【図面の簡単な説明】
【００１３】
【図１】実施例における二重目蓋形成補助器具を上方から見た図である。
【図２】実施例における二重目蓋形成補助器具を下方から見た図である。
【図３】二重目蓋形成補助器具に粘着性部材を張り合わせた図である。
【図４】二重目蓋形成補助器具の仮留め体を押圧することで移動させて粘着性部材を切断することを表す概念図である。
【図５】仮留め体を押圧することで移動させた際の二重目蓋形成補助器具の状態を表す部分拡大図である。
【発明を実施するための形態】
【００１４】
以下に、本発明を実施するための形態について、図面を用いて説明する。
始めに、本実施の形態における二重目蓋形成補助器具１の全体の構成について、図１及び図２を用いて説明する。
二重目蓋形成補助器具１は図１及び図２に示されているように、固定部２と、当該固定部２に対して相対移動可能な仮留め体３と、を有している。また、図２に示されているように、固定部２は、掴み部２１と、掴み部２１から延設される延設部２２と、を有している。更には、掴み部２１は主把持部位２１１の一端から二つの柱状部位２１２，２１２が接続されるように構成されており、当該二つの柱状部位２１２，２１２から延設するように二つの延設部２２，２２が設けられている。前記掴み部２１の二つの柱状部位２１２，２１２同士の離間距離よりも更に離間距離を広げるように、延設部２２が設けられており、２つの延設部２２，２２の各々の端部には切断手段４，４が設けられている。本実施の形態においては、切断手段４は刃４ａである。また、固定部２及び仮留め体３はともにプラスチック樹脂製である。
【００１５】
次に、本実施の形態における固定部２について説明する。
固定部２は掴み部２１と、掴み部２１から延設される延設部２２と、を有している。また、延設部２２の端部には切断手段４が設けられている。
掴み部２１は、主に使用者が片手で掴む部分及びその近傍であり、側方から見た断面が円弧形状である。特に掴み部２１に設けられた主把持部位２１１は、平板を円弧状に反らせたような形状であるため、使用者が持ちやすくなっている。掴み部２１には切断手段４の位置を調整するために使用される切断手段位置変更機構１１が設けられている。当該切断手段位置変更機構１１は、頭部を有する雄螺子３５を、一方の柱状部位２１２に設けられた貫通孔に挿通させ、その状態で前記雄螺子３５を他方の柱状部位２１２に設けられた雌螺子３７と螺合させることにより構成されている。
当該構成であると、前記雌螺子３７に対して前記雄螺子３５を締めこむことにより、二つの柱状部位２１２，２１２は接近して位置することとなる。また、締めこんだ螺子３５，３７を緩めると、二つの柱状部位２１２，２１２には弾性力により元に戻ろうとする復元力が働くので、自動的に二つの柱状部位２１２，２１２が離れて位置することとなる。また、本実施の形態においては、二つの柱状部位２１２，２１２の間にＵ字状に板バネ５を配設しているので、板バネ５の復元力が加わることにより、更に二つの柱状部位２１２，２１２を離れさせる力がより強力になる。なお、板バネ５に両端部に設けた孔（図示せず）に雄螺子３５を挿通させているので、板バネ５は、通常、二重目蓋形成補助器具１から外れることは無い。
二つの柱状部位２１２，２１２同士の相対的な位置が変更されることにより、柱状部位２１２の延長上に位置する切断手段４，４同士の相対的な位置が変更される。よって、使用者は目蓋に貼るために必要な長さで粘着性部材５０を切断することが可能となる。
なお、雄螺子３５の頭部にはローレット加工が施されており、回転作業がしやすくなっている。
【００１６】
次に本実施の形態における仮留め体３について説明する。
二つの延設部２２，２２を覆うように、仮留め体３が設けられている。仮留め体３は粘着性部材５０を仮留め可能な部材であり、当該仮留め体３と延設部２２との相対位置を変更することにより、仮留め体３に付された粘着性部材５０が切断可能となっている。
仮留め体３は延設部２２，２２の両外側に沿って配置される脇部３１，３１を備えており、脇部３１，３１を下側で接続する第一接続部３２と、脇部３１，３１を上側で接続する第二接続部３３と、を備えている。また、脇部３１，３１には、Ｌ字状のフック部３１１，３１１を付設している。脇部３１とＬ字状のフック部３１１により構成されたＵ字状の空間に柱状部位２１２の少なくとも一部が位置することで、仮留め体３と固定部２との相対的な位置をある程度規制することになる。上記脇部３１，３１の先端は粘着性部材５０が仮留め可能な、仮留め可能部３１２，３１２となっている。
仮留め体３の第二接続部３３には、仮留め体用支持部３２１が設けられている。当該仮留め体用支持部３２１には雄螺子３５が挿通される円形の孔（図示せず）が設けられている。仮留め体用支持部３２１は仮留め体３の略中央に位置する板状の部分である。仮留め体３は、掴み部２１と同様、円弧状であるが、仮留め体３の円弧は掴み部２１の円弧よりも曲率が大きく形成されており、仮留め体３の一端は常に主把持部位２１１と接する状態となっている。仮留め体３は、弾性変形可能に構成されており、図４の白抜き矢印で示すように主把持部位２１１と接する一端側の反対側から押圧することで、仮留め体３の円弧が広がるように変形する。当該押圧状態を解除すると、仮留め体３の弾性力により元の形に戻ろうとするため、押圧前の初期位置に戻す作業が必要ない。また、適度な抵抗があるため、仮留め体３が簡単に移動するようなことを抑制できる。その結果、作業者が意図しないタイミングで粘着性部材５０が切断されるようなことを抑制可能である。
なお、主把持部位２１１には、仮留め体３が接する部分において凹状の溝４０が設けられており、当該溝４０に沿って仮留め体３の端部が移動可能となっているため、仮留め体３を押圧した際にも、仮留め体３がねじれて変形するような事態が生じにくく、一定の変形状態とすることが容易に可能である。
仮留め体３の脇部３１には、粘着性部材５０の仮留め位置が理解できるように先端側に凹部３１３を設けている。当該凹部３１３にはまるように粘着性部材５０を掛け渡し、脇部３１の仮留め可能部３１２に仮留めすることで、仮留め体３を押圧して移動させた際に、切断しやすくなるとともに、粘着性部材５０を仮留め体３に貼り付ける際に、使用者が細心の注意を払わなくても容易に貼り付けることが可能となる。
【００１７】
粘着性部材５０を切断する切断手段４について説明する。
本実施例において切断手段４は延設部２２の端部に設けられた刃４ａである。図１に示されるように、刃４ａは延設部２２よりも前方に突設しないように配設されている。つまり、刃４ａは延設部２２の外表面よりも若干内部側に配設されている。図５に示されているように、平板形状の刃４ａは延設部２２に設けられた挿入孔３１４に挿入され、刃４ａに穿設した係止孔４ａｂと、延設部２２に設けた係止用突部３１５とが嵌めあわされて固定される。なお、係止用突部３１５は弾性変形可能である。刃４ａを挿入孔３１４に挿入する際には、刃４ａの挿入の邪魔とならないように係止用突部３１５を変形させておき、刃４ａを固定位置まで挿入した際に変形させるための力を解除する。変形させるための力を解除することで、係止用突部３１５は弾性力により変形前の状態に戻ろうとする。これにより、刃４ａに穿設した係止孔４ａｂと、延設部２２に設けた係止用突部３１５とが嵌りあい固定される。
なお、延設部２２の端部は使用者の顔に接しうる部分であるため、角が生じないよう、曲面形状としている。
本実施例においては、柱状部位２１２の延長上にある二つの延設部２２の各々に刃４ａを配設しており、当該二つの刃４ａが互いに略平行になるように配置している。
【００１８】
次に二重目蓋形成補助器具１の使用方法を説明する。
本説明においては延伸性のある粘着性部材５０を糸状にして使用するものとする。
二重目蓋形成補助器具１の切断手段位置変更機構１１を使用して、各々が切断手段４である二つの刃４ａの相対位置を調節する。相対位置をどのあたりにするのかは鏡を使用して、使用者自身の姿を確認しながら行う。例えば、二重目蓋形成補助器具１を目蓋に当て切断手段４である刃４ａがどの辺りにあるのかを確認しながら切断手段位置変更機構１１の雄螺子３５を回し、切断手段４である刃４ａの相対位置の調整を行う。
なお、一度、切断手段４である刃４ａの相対位置を適切に設定して固定した場合、使用者に変更がなければ、刃４ａの相対位置を設定する必要は無い。
その後、粘着性部材５０を長手方向に引き伸ばし、図３に示すように、当該粘着性部材５０の粘着部を二重目蓋形成補助器具１の仮留め体３に接するように載せる。この作業により、粘着性部材５０はその粘着性により二重目蓋形成補助器具１に仮留めされることになる。なお、仮留めの際には、粘着性部材５０は、二つの脇部３１，３１に掛け渡して貼り付けることにより仮留めするが、脇部３１の凹部３１３に嵌め込むように配置したうえで仮留め可能部３１２に貼り付ける。
二重目蓋形成補助器具１に仮留めされた粘着性部材５０が目蓋に当たるように二重目蓋形成補助器具１を移動させる。この状態では粘着性部材５０は目蓋にも二重目蓋形成補助器具１にも接している状態である。
粘着性部材５０が目蓋にも二重目蓋形成補助器具１にも接している状態のまま、仮留め体３の第一接続部３２が固定部２に接近するように、下方から押圧する。すると、仮留め体３が雄螺子３５の軸を中心として、目蓋から離れるように回動する。当該回動により、粘着性部材５０は切断手段４としての刃４ａの刃先に接する状態となり、更には、刃４ａの刃先に当たった状態で引っ張られるので、刃先と当接する部分で切断されることになる。つまり、使用者が片方の手（Ｈ）で二重目蓋形成補助器具１の主把持部位２１１を把持しながら、仮留め体３の第一接続部３２を下方から、図４の白抜き矢印が示す方向に押圧して移動させることで、粘着性部材５０を特定の長さに切断することが可能となる。なお、図４に示された粘着性部材５０が切断される様子は、切断状態を理解しやすくするよう誇張して描いているため、実際に切断される様子とは一致しない。
粘着性部材５０を目蓋に貼り付ける長さに切断した後、二重目蓋形成補助器具１を目蓋から離す。この一連の作業を行った後には、粘着性部材５０のみが目蓋に残り、二重目蓋が形成されることになる。
【００１９】
上述した実施形態の二重目蓋形成補助器具１によれば、二重目蓋を形成する際に粘着性部材５０を二重目蓋形成補助器具１に仮留めした上で目蓋に載せているので、粘着性部材５０が引っ張られた状態で目蓋に接することになり、粘着性部材５０が蛇行して目蓋に配置されるような失敗を回避することが可能である。また、粘着性部材５０を貼り付けるために使用した器具で粘着性部材５０の切断をすることが可能であり、複数の器具を用意して持ち替える必要性が無く、使用者にとっての利便性が高い。また、本実施形態の構成であれば、粘着性部材５０を切断する際に刃４ａが目に当たるような危険性を回避可能である。また、粘着性部材５０を切断する箇所の相対位置が変更可能であるので、使用できる粘着性部材５０の幅が広がる上に、より適切な長さの粘着性部材５０を目蓋に貼り付けることが可能になり得る。また、第一接続部３２を押圧する距離に対して粘着性部材５０が移動する距離が大きいため、効率よく切断を行うことができる。また、第一接続部３２を一方向に一回押圧するだけで糸状の粘着性部材５０の２箇所を切断することが可能であり、２箇所切断するために１箇所ずつ切断作業を行う必要性が無く、作業者の負担感を抑制することが可能である。また、粘着性部材５０を目蓋と二重目蓋形成補助器具１の双方に張り付かせた状態から、刃４ａを移動させずに粘着性部材５０を切断することが可能であるため、粘着性部材５０の切断時に使用者の皮膚を切断してしまうようなことを抑制することが可能である。
【００２０】
以上、本発明の実施形態を１つの実施例を用いて説明したが、本発明は上記実施例のほか各種の形態で実施できるものである。
例えば、上記実施形態においても、粘着性部材を切断する手段は固定刃に当てて引っ張る態様である必要性は無く、粘着性部材に対して切断面ができるように刃を動かすことで切断するようにしても良い。
また、切断手段は刃にこだわる必要性は無く、粘着性部材をはさむように部材を重ね合わせることで切断するようにしても良い。また、粘着性部材によっては、フロスのような細い糸状の形態の物や、加熱手段なども切断手段となりうる。
また、複数の掴み部を設けることも可能であり、そのような場合、全ての掴み部に延設部が延設されている必要性はない。
また、延設部の端部の形状は目蓋の形状に略一致させるような円弧状とすることも可能である。
また、実施例においては、柱状部位の延長上にある二つの延設部の各々に刃を配設しており、当該二つの刃が互いに略平行になるように配置しているが、刃は平行に配置することに限られず、刃先が刃全体に比して掴み部の中心軸から若干離れるようなハの字状に配置することもできる。
また、刃先はテープカッターで使用されるような波形状となるようにすることも可能である。
また、刃先が皮膚に触れることを防ぐことを重視して、刃先よりも前側に保護壁を立設することも可能である。この場合、保護壁は脇部よりも前側に位置する構成であることが必要である。脇部に掛け渡した粘着性部材が保護壁と刃先の間に位置することができるようにするためである。
【符号の説明】
【００２１】
１      二重目蓋形成補助器具
２      固定部
３      仮留め体
４      切断手段
４ａ    刃
５      板バネ
１１    切断手段位置変更機構
２１    掴み部
２２    延設部
３１    脇部
３２    第一接続部
３３    第二接続部
４０    溝
５０    粘着性部材
２１１  主把持部位
２１２  柱状部位
３１１  フック部
３１２  仮留め可能部
３１３  凹部
３１４  挿入孔
３１５  係止用突部
３２１  仮留め体用支持部
【要約】
【課題】目蓋に粘着性部材を適切に貼り付けること及び、別途ハサミなどを持ち直さずに粘着性部材を目蓋に貼り付ける長さに切断することを可能にすること。
【解決手段】粘着性部材を目蓋に貼り付けることを補助するために使用する二重目蓋形成補助器具１であって、前記二重目蓋形成補助器具１は、掴み部２１と、粘着性部材を掛け渡す状態で仮留め可能な仮留め可能部３１２と、粘着性部材を切断可能な切断手段４と、を有しており、前記仮留め可能部３１２と切断手段４とを相対移動させることで、仮留め可能部３１２に仮留めした粘着性部材を目蓋に貼り付ける長さに切断することを可能な構成とする。
【選択図】図１【図１】
0005485427.tif 000002
【図２】
0005485427.tif 000003
【図３】
0005485427.tif 000004
【図４】
0005485427.tif 000005
【図５】
0005485427.tif 000006